(57)【特許請求の範囲】
【請求項１】
物体側から像側へ順に、ズーミングに際して固定の正の屈折力の第１レンズ群と、広角端から望遠端へのズーミングに際して、像側へ移動する負の屈折力の第２レンズ群と、変倍に伴う像面変動を補正する第３レンズ群と、ズーミングに際して固定の結像作用をする第４レンズ群とから構成されるズームレンズであって、
該第４レンズ群は、レンズ群中で最も長い空気間隔を境に物体側に位置する第４Ｆ群、像側に位置する第４Ｂ群から構成されており、
該第４Ｂ群は、２枚の負レンズと少なくとも３枚の正レンズを含んでおり、
該第４Ｂ群は、該第４Ｂ群の全長の中心位置より、レンズ厚の中心位置が物体側に位置する第４Ｂ１群、像側に位置する第４Ｂ２群を有しており、該第４Ｂ１群と該第４Ｂ２群は、いずれも１つの負レンズと、少なくとも１つの正レンズを含んでおり、
該第４Ｂ１群と該第４Ｂ２群の正レンズの材料の平均アッベ数を各々ν１ｐ、ν２ｐ（但し、正レンズが１つのときは、該正レンズの材料のアッベ数である）、該第４Ｂ１群と該第４Ｂ２群の負レンズの材料のアッベ数を各々ν１ｎ、ν２ｎとするとき
０．５０ ＜ ν１ｐ/ν１ｎ ＜ １．０５
２．３０ ＜ ν２ｐ/ν２ｎ
なる条件を満足することを特徴とするズームレンズ。
【請求項２】
前記第４Ｂ２群の正レンズの材料の平均アッベ数と平均部分分散比を各々ν２ｐ、θ２ｐ、該第４Ｂ２群の負レンズの材料のアッベ数と部分分散比を各々ν２ｎ、θ２ｎとするとき
θ２ｎ＋０.００１６２ × ν２ｎ ＜ ０.６５０
（θ２ｎ − θ２ｐ）／（ν２ｐ−ν２ｎ） ＜ ０．００１７５
なる条件を満足することを特徴とする請求項１に記載のズームレンズ。
【請求項３】
前記第４レンズ群の第４Ｆ群と第４Ｂ群の間に、光路中から挿脱可能で、全系の焦点距離範囲を変位させるレンズユニットを有することを特徴とする請求項１又は２に記載のズームレンズ。
【請求項４】
前記第４Ｂ群は物体側から像側へ順に、正レンズ、負レンズと正レンズとの接合レンズ、正レンズと負レンズとの接合レンズ、正レンズより成ることを特徴とする請求項１、２又は３に記載のズームレンズ。
【請求項５】
前記第４Ｂ群は物体側から像側へ順に、正レンズ、正レンズと負レンズとの接合レンズ、正レンズと負レンズとの接合レンズ、正レンズより成ることを特徴とする請求項１、２又は３に記載のズームレンズ。
【請求項６】
前記第４Ｂ群は物体側から像側へ順に、正レンズ、負レンズと正レンズとの接合レンズ、負レンズと正レンズとの接合レンズ、正レンズより成ることを特徴とする請求項１、２又は３に記載のズームレンズ。
【請求項７】
前記第４Ｂ群は物体側から像側へ順に、正レンズ、負レンズ、正レンズと負レンズとの接合レンズ、正レンズより成ることを特徴とする請求項１、２又は３に記載のズームレンズ。
【請求項８】
前記第４Ｂ群は物体側から像側へ順に、正レンズ、負レンズ、正レンズ、正レンズ、負レンズ、正レンズより成ることを特徴とする請求項１、２又は３に記載のズームレンズ。
【請求項９】
前記第４Ｂ群は物体側から像側へ順に、正レンズ、正レンズ、負レンズと正レンズとの接合レンズ、正レンズと負レンズとの接合レンズ、正レンズより成ることを特徴とする請求項１、２又は３に記載のズームレンズ。
【請求項１０】
前記第４Ｆ群は、物体側から像側へ順に、正レンズ、正レンズ、正レンズと負レンズとの接合レンズより成ることを特徴とする請求項１乃至９のいずれか１項のズームレンズ。
【請求項１１】
光電変換素子に像を形成することを特徴とする請求項１乃至１０のいずれか１項に記載のズームレンズ。
【請求項１２】
請求項１乃至１１のいずれか１項のズームレンズと、該ズームレンズによって形成された像を受光する固体撮像素子を有することを特徴とする撮像装置。
【発明の詳細な説明】
【技術分野】
【０００１】
本発明はズームレンズ及びそれを有する撮像装置に関し、放送用テレビカメラ、ビデオカメラ、デジタルスチルカメラ、銀塩写真用カメラ等に好適なものである。
【背景技術】
【０００２】
近年、テレビカメラ、銀塩フィルム用カメラ、デジタルカメラ、ビデオカメラ等の撮像装置には、大口径比、高ズーム比、広画角でしかも高い光学性能を有したズームレンズが要望されている。
【０００３】
このうち、放送用のカラーテレビカメラ等の撮像装置では撮像手段の前方（物体側）に色分解光学系や各種のフィルターを配置するため、長いバックフォーカスを有するズームレンズであることが要望されている。
【０００４】
大口径、広画角、高ズーム比でバックフォーカスの長いズームレンズとして、最も物体側に正の屈折力のレンズ群を配置したポジティブリード型の４群ズームレンズが知られている。
【０００５】
この４群ズームレンズは、物体側から像側へ順に合焦用レンズ群を含む正の屈折力の第１レンズ群、変倍用の負の屈折力の第２レンズ群、変倍に伴う像面変動を補正するための正の屈折力の第３レンズ群、そして結像用の正の屈折力の第４レンズ群より成っている。
【０００６】
このポジティプタイプの４群ズームレンズにおいて、広角端の画角が２ω＝７８゜〜９６゜、Ｆナンバーが１.７〜２．０、変倍比が８〜１２の大口径比かつ高変倍の４群ズームレンズが知られている（特許文献１〜３）。
【特許文献１】特開昭６３−２３７０２０号公報
【特許文献２】特開２０００−８９１０９号公報
【特許文献３】特開２０００−３２１４９６号公報
【発明の開示】
【発明が解決しようとする課題】
【０００７】
前述した４群ズームレンズにおいて、大口径比、高変倍比、広角端の撮影画角２ω＝７８°以上で、かつ全変倍範囲に渡って高い光学性能を得るためには、各レンズ群の屈折力やレンズ構成を適切に設定する必要がある。
【０００８】
例えば、結像用の第４レンズ群のレンズ構成が適切でないと、所定の長さのバックフォーカスを確保しつつ、色収差、球面収差、ハロコマ収差、球面収差の色差等の変動を少なくし、高ズーム比で高性能化を図るのが困難となる。
【０００９】
特に第４レンズ群の光路中で物体側と像側のレンズ群との間に全系の焦点距離範囲を変移させるレンズユニット（エクステンダーレンズ）を挿脱可能に構成した場合は、第４レンズ群の像側のレンズ群のレンズ構成を適切に構成するのが重要になってくる。
【００１０】
第４レンズ群の像側のレンズ群のレンズ構成が不適切であると、広角端における倍率色収差を良好に補正し、高い光学性能を有し、広画角かつ高ズーム比のズームレンズを得るのが難しくなる。
【００１１】
本発明は、高ズーム比で、広角端から望遠端における全ズーム範囲にわたり諸収差を良好に補正し、全ズーム範囲において高い光学性能を有するズームレンズ及びそれを有する撮像装置の提供を目的とする。
【課題を解決するための手段】
【００１２】
本発明のズームレンズは、物体側から像側へ順に、ズーミングに際して固定の正の屈折力の第１レンズ群と、広角端から望遠端へのズーミングに際して、像側へ移動する負の屈折力の第２レンズ群と、変倍に伴う像面変動を補正する第３レンズ群と、ズーミングに際して固定の結像作用をする第４レンズ群とから構成されるズームレンズであって、
該第４レンズ群は、レンズ群中で最も長い空気間隔を境に物体側に位置する第４Ｆ群、像側に位置する第４Ｂ群から構成されており、
該第４Ｂ群は、２枚の負レンズと少なくとも３枚の正レンズを含んでおり、
該第４Ｂ群は、該第４Ｂ群の全長の中心位置より、レンズ厚の中心位置が物体側に位置する第４Ｂ１群、像側に位置する第４Ｂ２群を有しており、該第４Ｂ１群と該第４Ｂ２群は、いずれも１つの負レンズと、少なくとも１つの正レンズを含んでおり、
該第４Ｂ１群と該第４Ｂ２群の正レンズの材料の平均アッベ数を各々ν１ｐ、ν２ｐ（但し、正レンズが１つのときは、該正レンズの材料のアッベ数である）、該第４Ｂ１群と該第４Ｂ２群の負レンズの材料のアッベ数を各々ν１ｎ、ν２ｎとするとき
０．５０ ＜ ν１ｐ/ν１ｎ ＜ １．０５
２．３０ ＜ ν２ｐ/ν２ｎ
なる条件を満足することを特徴としている。
【発明の効果】
【００１３】
本発明によれば、全ズーム範囲において高い光学性能を持ったズームレンズ及びそれを有する撮像装置を得られる。
【発明を実施するための最良の形態】
【００１４】
以下、本発明のズームレンズ及びそれを有する撮像装置の実施例について説明する。
【００１５】
本発明のズームレンズは、物体側から像側へ順に、合焦用レンズ群を含みズーミングに際して固定の正の屈折力の第1レンズ群Ｆを有している。更に、広角端（短焦点距離端）から望遠端（長焦点距離端）へのズーミングに際して、像側へ単調に移動する変倍用の負の屈折力の第２レンズ群Ｖを有している。更に、非直線的に移動し、変倍に伴う像面変動を補正する正又は負の屈折力の第３レンズ群Ｃ、ズーミングに際して固定の結像作用をする第４レンズ群Ｒを有している。
【００１６】
第４レンズ群は、レンズ群中で最も長い空気間隔を境に物体側に位置するレンズを第４Ｆ群、像側に位置するレンズを第４Ｂ群を有している。
【００１７】
又、第４レンズ群の第４Ｆ群と第４Ｂ群の間に、光路中から挿脱可能で、全系の焦点距離範囲を変位させるレンズユニット（エクステンダーレンズ）を有している。
【００１８】
図１、図２は、本発明の実施例１のズームレンズの広角端と望遠端におけるレンズ断面図である。
【００１９】
図３、図４はそれぞれ実施例１のズームレンズの無限遠物体のときの広角端と望遠端における収差図である。
【００２０】
図５は実施例１において、第４レンズ群Ｒ中にエクステンダーレンズ（レンズユニット）を挿入したときの広角端におけるレンズ断面図である。
【００２１】
図６、図７は実施例１において第４レンズ群Ｒ中にエクステンダーレンズを挿入したときで無限遠物体のときの広角端と望遠端における収差図である。
【００２２】
図８は、本発明の実施例２のズームレンズの広角端におけるレンズ断面図である。
【００２３】
図９、図１０はそれぞれ実施例２のズームレンズの無限遠物体のときの広角端と望遠端における収差図である。
【００２４】
図１１は、本発明の実施例３のズームレンズの広角端におけるレンズ断面図である。
【００２５】
図１２、図１３はそれぞれ実施例３のズームレンズの無限遠物体のときの広角端と望遠端における収差図である。
【００２６】
図１４は、本発明の実施例４のズームレンズの広角端におけるレンズ断面図である。
【００２７】
図１５、図１６はそれぞれ実施例４のズームレンズの無限遠物体のときの広角端と望遠端における収差図である。
【００２８】
図１７は、本発明の実施例５のズームレンズの広角端におけるレンズ断面図である。
【００２９】
図１８、図１９はそれぞれ実施例５のズームレンズの無限遠物体のときの広角端と望遠端における収差図である。
【００３０】
図２０は、本発明の実施例６のズームレンズの広角端におけるレンズ断面図である。
【００３１】
図２１、図２２はそれぞれ実施例６のズームレンズの無限遠物体のときの広角端と望遠端における収差図である。
【００３２】
図２３は、本発明の実施例７のズームレンズの広角端におけるレンズ断面図である。
【００３３】
図２４、図２５はそれぞれ実施例７のズームレンズの無限遠物体のときの広角端と望遠端における収差図である。
【００３４】
図２６は、本発明の撮像装置の要部概略図である。
【００３５】
レンズ断面図において、Ｆはズーミングに際して固定の正の屈折力の第１レンズ群である。
【００３６】
第１レンズ群Ｆは、全体又はその一部を移動させることによりフォーカスを行っている。
【００３７】
Ｖはズーミング時に可動の負の屈折力の第２レンズ群（バリエータレンズ群）である。
【００３８】
第２レンズ群Ｖは光軸上像面側へ単調に移動させることにより広角端から望遠端への変倍を行っている。
【００３９】
Ｃはズーミング時に可動であり、変倍に伴う像面位置の変動を補正する正又は負の屈折力の第３レンズ群（コンベンセーターレンズ群）である。
【００４０】
第３レンズ群Ｃは、広角端から望遠端への変倍に際して非直線的に移動している。第２レンズ群Ｖと第３レンズ群Ｃとで変倍系（変倍部）を構成している。
【００４１】
ＳＰは開口絞りであり、第３レンズ群Ｃの像側に配置されている。Ｒは結像のための第４レンズ群（リレーレンズ群）である。
【００４２】
第４レンズ群Ｒは、第４レンズ群Ｒ中最も長い空気間隔をはさんで、物体側に第４Ｆレンズ群（第４Ｆ群）４Ｆ、像側に第４Ｂレンズ群（第４Ｂ群）４Ｂを有している。第４Ｆ群４Ｆと第４Ｂ群４Ｂの間（光路中）に、全系の焦点距離範囲を変位させるレンズユニット（エクステンダーレンズ）ＩＥが逸脱可能に挿入される。更に第４Ｂ群４Ｂは物体側に第４Ｂ１レンズ群（第４Ｂ１群）４Ｂ１、像側に第４Ｂ２レンズ群（第４Ｂ２群）４Ｂ２を有している。
【００４３】
ここで第４Ｂ１群４Ｂ１と第４Ｂ２群４Ｂ２は、第４Ｂ群４Ｂ全長（第４Ｂ群全長）の中心位置より、レンズ厚の中心位置が物体側に位置するレンズを第４Ｂ１群４Ｂ１、像側に位置するレンズを第４Ｂ２群４Ｂ２としている。
【００４４】
Ｐは色分解プリズムや光学フィルターであり、硝子ブロックとして示している。ＩＰは像面であり、固体撮像素子（光電変換素子）の撮像面に相当している。
【００４５】
図１における、
【００４６】
【数１】
0005031476.tif 000002
【００４７】
は各々、実施例１において広角端における第１レンズ群Ｆの物体側の負レンズと物体側の正レンズに入射する軸外主光線の入射高である。
【００４８】
図２における、ｈ１とｈ２は各々、実施例１において望遠端における第１レンズ群Ｆの物体側の負レンズと物体側の正レンズに入射する軸上マージナル光線の入射高である。
【００４９】
収差図において、球面収差は、ｇ線とｅ線とＣ線を示している。Ｍ、Ｓはメリディオナル像面、サジタル像面、倍率色収差はｇ線とＣ線によってあらわしている。ＦはＦナンバー、ωは半画角である。
【００５０】
尚、以下の各実施例において広角端と望遠端は変倍用の第２レンズ群Ｖが機構上光軸上を移動可能な範囲の両端に位置したときのズーム位置をいう。
【００５１】
次に各実施例の特徴について説明する。
【００５２】
一般に各実施例におけるタイプの４群ズームレンズにおいて、広角端の画角（撮影画角）が７８°以上になると第１レンズ群の有効径が大きくなり、大型化してくる。このとき、第１レンズ群の小型化を実現するためには、第１レンズ群の焦点距離を短縮する必要がある。
【００５３】
更に、広角端における第２レンズ群との主点間隔を小さくするために第１レンズ群のバックフォーカスを長く確保する必要がある。
【００５４】
従って、図１のように、第１レンズ群は物体側に負の屈折力のレンズ群、像側に正の屈折力のレンズ群を配したレトロフォーカス型の形式のものが小型化のために有効である。
【００５５】
更に、広画角化を達成するには、第１レンズ群のバックフォーカスをより長くする必要がある。そうすると第１レンズ群のレトロ比が強まり、第１レンズ群内における物体側の負レンズの屈折力が強くなってくる。
【００５６】
第１レンズ群内の物体側の負のレンズ群の屈折力が強まると、図２における軸上マージナル光線の入射高ｈ１、ｈ２は
ｈ１＜ｈ２
の傾向が強くなる。
【００５７】
一般に入射高ｈ１＜ｈ２の傾向が大きくなるにつれ、軸上色収差を良好に補正するための補正条件から、物体側の正レンズの屈折力が弱くなってくる。
【００５８】
広角端においては、図１のように、第１レンズ群内の物体側の負レンズと正レンズに入射する軸外主光線の入射高
【００５９】
【数２】
0005031476.tif 000003
【００６０】
が大きい。
【００６１】
このため、負レンズの屈折力の強まり、正レンズの屈折力の弱まるにつれて、広角端において倍率色収差が補正不足となり、色収差を良好に補正するのが困難となる。
【００６２】
ただし、倍率色収差の補正不足とは、基準波長より短波長な光の像高が、基準波長の像高より小さくなることを指す。
【００６３】
又、倍率色収差の補正過剰とは、基準波長より短波長な光の像高が、基準波長の像高より大きくなることを指す。
【００６４】
また軸上色収差の補正不足とは、基準波長より短波長な光の結像位置が基準波長より物体側に位置することを指す。又、補正過剰とは、基準波長より短波長な光の結像位置が基準波長より像側に位置することを指す。
【００６５】
そこで各実施例では、第１レンズ群Ｆをレトロフォーカス型のレンズ構成としたときに発生する色収差を第４レンズ群Ｒの第４Ｂレンズ群４Ｂをレンズ構成を適切に設定することによって軽減している。
【００６６】
各実施例では、第４Ｂ群４Ｂは２枚の負レンズと少なくとも３枚の正レンズによって構成している。
【００６７】
第４Ｂ１群４Ｂ１と第４Ｂ２群４Ｂ２は、いずれも１つの負レンズと、少なくとも１つの正レンズを含んでいる。
【００６８】
第４Ｂ１群４Ｂ１と第４Ｂ２群４Ｂ２の正レンズの材料の平均アッベ数を各々ν１ｐ、ν２ｐとする。但し各群に正レンズが１つのときは、該正レンズの材料のアッベ数である。
【００６９】
第４Ｂ１群４Ｂ１と第４Ｂ２群４Ｂ２の負レンズの材料のアッベ数を各々ν１ｎ、ν２ｎとする。このとき
０．５０  ＜  ν１ｐ/ν１ｎ  ＜  １．０５    ‥‥‥（１）
２．３０  ＜  ν２ｐ/ν２ｎ                  ‥‥‥（２）
なる条件を満足している。
【００７０】
条件式（１）、（２）を満足することで、広角端における倍率色収差を良好に補正し、光学性能の高いズームレンズを実現している。
【００７１】
条件式（１）、（２）は、第４Ｂ１群４Ｂ１内の正レンズと負レンズの材料の分散を規定するものである。
【００７２】
物体側の第４Ｂ１群４Ｂ１と、像側の第４Ｂ２群４Ｂ２においては、軸上マージナル光線の入射高ｈと軸外主光線の入射高
【００７３】
【数３】
0005031476.tif 000004
【００７４】
に差がある。
【００７５】
これを利用し、第４Ｂ１群４Ｂ１と第４Ｂ２群４Ｂ２の正レンズと負レンズの材料のアッベ数比を適切に設定することにより、広角端において、軸上色収差の性能バランスを崩すことなく、倍率色収差を良好に補正している。
【００７６】
条件式（１）の下限を下回ると、第４Ｂ１群４Ｂ１内における正レンズの材料の分散が大きく、負レンズの分散が小さくなりすぎる。このため、倍率色収差を補正しようとすると、第４Ｂ２群４Ｂ２内における負レンズのパワーが増大し、高次収差が大きくなり光学性能が悪化してくる。
【００７７】
条件式（１）の上限を上回ると、第４Ｂ１群４Ｂ１内における正レンズの材料の分散が小さく、負レンズの分散が大きくなりすぎる。このため、軸上色収差と倍率色収差の双方を良好に補正するのが難しく、特に倍率色収差が補正不足となり、光学性能が悪化してくる。
【００７８】
条件式（２）の下限を下回ると、第４Ｂ２群４Ｂ２内における正レンズの材料の分散が大きく、負レンズの分散が小さくなりすぎる。このため、軸上色収差と倍率色収差の双方を良好に補正するのが難しく、特に倍率色収差が補正不足となり、光学性能が悪化する。
【００７９】
各実施例において、更に好ましくは条件式（１）、（２）の数値範囲を次の如く設定するのが良い。
【００８０】
０．５２  ＜  ν１ｐ/ν１ｎ  ＜  １．００    ‥‥‥（１ａ）
２．３５  ＜  ν２ｐ/ν２ｎ                  ‥‥‥（２ａ）
各実施例では、以上のように第４レンズ群Ｒの像側の第４Ｂ群４Ｂのレンズ構成、レンズの材質のアッベ数等を適切に設定している。これにより、収差補正、特に広角端における倍率色収差を良好に補正し、光学性能の高い、広角かつ高変倍で大口径のズームレンズを実現している。
【００８１】
又、各実施例においては、次の条件式のうち１以上を満足するのが良い。それによれば各条件式に対応した効果が得られる。
【００８２】
第４Ｂ２群４Ｂ２の正レンズの材料の平均アッベ数と平均部分分散比を各々ν２ｐ、θ２ｐとする。
【００８３】
第４Ｂ２群４Ｂ２の負レンズの材料のアッベ数と部分分散比を各々ν２ｎ、θ２ｎとする。このとき
θ２ｎ＋０.００１６２ × ν２ｎ  ＜  ０.６５０                ‥‥‥（３）
（θ２ｎ − θ２ｐ）／（ν２ｐ−ν２ｎ）  ＜  ０．００１７５  ‥‥‥（４）
なる条件のうち１以上を満足することである。
【００８４】
尚、各実施例に用いる光学部材のアッベ数と部分分散比は次のとおりである。
【００８５】
今、フラウンフォーファ線のｇ線、Ｆ線、ｄ線、Ｃ線に対する屈折率をそれぞれＮｇ、ＮＦ、Ｎｄ、ＮＣとするとき、アッベ数νｄ、部分分散比θｇｄの定義は一般的に用いられるものと同じであり、
νｄ＝（Ｎｄ／１）／（ＮＦ／ＮＣ）
θｇｄ＝（Ｎｇ−Ｎｄ）／（ＮＦ−ＮＣ）
で表わされる。
【００８６】
条件式（３）、（４）は、第４Ｂ２群４Ｂ２の正レンズと負レンズの材料の分散と部分分散比を規定するものである。
【００８７】
各実施例では、第４Ｂ群４Ｂ内の中で、軸外主光線の入射高
【００８８】
【数４】
0005031476.tif 000005
【００８９】
の高い、第４Ｂ２群４Ｂ２において、負レンズの材料の部分分散比と、正レンズと負レンズの分散差に対する部分分散比差の傾きを適切に設定している。
【００９０】
これにより広角端において倍率色収差の二次スペクトルを良好に補正している。
【００９１】
条件式（３）（４）から外れた場合には、倍率色収差の短波長側と長波長側の双方において良好なる補正が困難となり、二次スペクトルが悪化する。
【００９２】
各実施例において、更に好ましくは条件式（３）、（４）の数値範囲を次の如く設定するのが良い。
【００９３】
θ２ｎ＋０.００１６２ × ν２ｎ  ＜  ０.６４７              ‥‥‥（３ａ）
（θ２ｎ − θ２ｐ）／（ν２ｐ−ν２ｎ）  ＜０．００１７２  ‥‥‥（４ａ）
更に好ましくは
θ２ｎ＋０.００１６２ × ν２ｎ  ＜  ０.６４５              ‥‥‥（３ｂ）
（θ２ｎ − θ２ｐ）／（ν２ｐ−ν２ｎ）  ＜０．００１７０  ‥‥‥（４ｂ）
とするのが良い。
【００９４】
各実施例では、第４レンズ群Ｒ中の第４Ｆ群４Ｆと第４Ｂ群４Ｂの間に、挿脱可能に設けた全系の焦点距離範囲を変位させるレンズユニット（エクステンダーレンズ）ＩＥを有するようにしている。
【００９５】
４群ズームレンズの広角端においては、第４Ｂ群４Ｂで発生する短波長の軸上色収差の補正過剰を、第４Ｆ群４Ｆで発生する短波長の軸上色収差の補正不足で打ち消している。レンズユニットＩＥを有するズームレンズ場合、レンズユニットＩＥの挿入時の収差を考慮する必要がある。そのため、レンズユニットＩＥの挿入時に収差が拡大または縮小されるレンズユニットＩＥより物体側のレンズの収差発生量を大きくすることは望ましくない。よって、第４Ｆ群４Ｆ、第４Ｂ群４Ｂにおいては、それぞれ軸上色収差の発生量を少なくすることが必要となる。
【００９６】
レンズユニットＩＥを有するズームレンズにおいては、広画角化が進むと共に、第４Ｂ群４Ｂにおいて、倍率色収差を補正過剰にしつつ、短波長の軸上色収差を一定以上に補正過剰にしないことが望まれる。
【００９７】
よって、レンズユニットＩＥを有するズームレンズにおいては、前述の条件式（１）、（２）、（３）、（４）のうち１以上を満たすように第４Ｂ群４Ｂを構成することで、より効果的に倍率色収差を補正している。
【００９８】
第４Ｂ群４Ｂは物体側から像側へ順に、次のうちの１つを満足するように設定し、これによって良好なる光学性能を得ている。
【００９９】
◎正レンズ、負レンズと正レンズとの接合レンズ、正レンズと負レンズとの接合レンズ、正レンズより成ること。
【０１００】
◎正レンズ、正レンズと負レンズとの接合レンズ、正レンズと負レンズとの接合レンズ、正レンズより成ること。
【０１０１】
◎正レンズ、負レンズと正レンズとの接合レンズ、負レンズと正レンズとの接合レンズ、正レンズより成ること。
【０１０２】
◎正レンズ、負レンズ、正レンズと負レンズとの接合レンズ、正レンズより成ること。
【０１０３】
◎正レンズ、負レンズ、正レンズ、正レンズ、負レンズ、正レンズより成ること。
【０１０４】
◎正レンズ、正レンズ、負レンズと正レンズとの接合レンズ、正レンズと負レンズとの接合レンズ、正レンズより成ること。
【０１０５】
第４Ｂ群４Ｂをこのように構成し、更に条件式（１）、（２）、（３）、（４）のうち１以上を満たすようにしている。これにより、レンズの小型化と、倍率色収差を含む、球面収差、コマ収差、非点収差、像面湾曲、軸上色収差等の諸収差を良好に補正している。
【０１０６】
又、各実施例において、第４Ｆ群４Ｆは、物体側から像側へ順に、正レンズ、正レンズ、正レンズと負レンズとの接合レンズより構成している。これによって全ズーム範囲において良好なる光学性能を得ている。
【０１０７】
図２６は各実施例のズームレンズを撮影光学系として用いた撮像装置（テレビカメラシステム）の要部概略図である。図２６において１０１は実施例１〜７のいずれか１つのズームレンズである。１２４はカメラである。ズームレンズ１０１はカメラ１２４に対して着脱可能になっている。１２５はカメラ１２４にズームレンズ１０１を装着することにより構成される撮像装置である。
【０１０８】
ズームレンズ１０１は第１レンズ群Ｆ、変倍部ＬＺ、結像用の第４レンズ群Ｒを有している。レンズ群Ｆは合焦用レンズ群が含まれている。変倍部ＬＺは変倍の為に光軸上を移動する第２レンズ群Ｖと、変倍に伴う像面変動を補正する為に光軸上を移動する第３レンズ群Ｃが含まれている。
【０１０９】
ＳＰは開口絞りである。第４レンズ群Ｒは第４Ｆ群４Ｆと、光路中より挿抜可能なレンズユニットＩＥ、第４Ｂ群４Ｂを有している。
【０１１０】
レンズユニットＩＥはズームレンズ１０１の全系の焦点距離範囲を変移している。
【０１１１】
１１４、１１５は、各々レンズ群Ｆ、変倍部ＬＺを光軸方向に駆動するヘリコイドやカム等の駆動機構である。
【０１１２】
１１６〜１１８は駆動機構１１４、１１５及び開口絞りＳＰを電動駆動するモータ（駆動手段）である。
【０１１３】
１１９〜１２１は、第１レンズ群Ｆ、変倍部ＬＺの光軸上の位置や、開口絞りＳＰの絞り径を検出する為のエンコーダやポテンショメータ、あるいはフォトセンサ等の検出器である。
【０１１４】
カメラ１２４において、１０９はカメラ１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。
【０１１５】
また、１１１、１２２はカメラ１２４及びズームレンズ本体１０１の各種の駆動を制御するＣＰＵである。
【０１１６】
このように本発明のズームレンズをテレビカメラに適用することにより、高い光学性能を有する撮像装置を実現している。
【０１１７】
以下に本発明の実施例１〜７に対応する数値実施例１〜７を示す。数値実施例において、ｉは物体側からの面の順序を示し、ｒｉは物体側より第ｉ番目の面の曲率半径、ｄｉは物体側より第ｉ番目と第ｉ＋１番目の間隔、Ｎｉとνｉは第ｉ番目の光学部材の屈折率とアッベ数である。ｆ、Ｆｎｏ、２ωはそれぞれ無限遠物体に焦点を合わせたときの全系の焦点距離、Ｆナンバー、画角を表している。Ｂｆはバックフォーカス、Ｙは像高を表している。
【０１１８】
最後の３つの面は、フィルター等のガラスブロックである。
【０１１９】
非球面形状は光軸方向にＸ軸、光軸と垂直方向にＨ軸、光の進行方向を正とし、Ｒを近軸曲率半径、ｋを円錐常数、Ｂ、Ｃ、Ｄ、Ｅ、Ａ´、Ｂ´、Ｃ´、Ｄ´をそれぞれ非球面係数としたとき、次式で表している。
【０１２０】
【数５】
0005031476.tif 000006
【０１２１】
又、前述の各条件式と数値実施例における諸数値との関係を表１に示す。
【０１２２】
[数値実施例１]
画面サイズ  対角１１ｍｍ
ｆ＝４.４５〜５７.８５  Ｆｎｏ／１.９０〜２．８０  ２ω＝１０２.０゜〜１０.９゜
Ｂｆ  ４．９９９０  Ｙ  ５.５
*r1=   227.195     d1=    2.50   N1=    1.7762        ν1=   49.60 
r2=    33.736      d2=    19.76                       
r3=    311.589     d3=    1.85   N2=    1.7584        ν2=   52.32 
r4=    80.391      d4=    13.54                       
r5=    -80.728     d5=    1.75   N3=    1.7584        ν3=   52.32 
r6=    -17642.010  d6=    1.30                        
r7=    135.169     d7=    6.62   N4=    1.8126        ν4=   25.42 
r8=    -339.711    d8=    1.16                        
r9=    328.904     d9=    9.40   N5=    1.5183        ν5=   64.14 
*r10=  -74.094     d10=   11.86                       
r11=   1211.778    d11=   8.57   N6=    1.4891        ν6=   70.23 
r12=   -67.682     d12=   1.65   N7=    1.8881        ν7=   40.76 
r13=   -126.215    d13=   0.20                        
r14=   182.391     d14=   1.65   N8=    2.0117        ν8=   28.30 
r15=   55.727      d15=   10.56  N9=    1.4985        ν9=   81.54 
r16=   -405.898    d16=   0.20                        
r17=   130.732     d17=   9.01   N10=   1.4985        ν10=  81.54 
r18=   -91.216     d18=   0.20                        
r19=   57.687      d19=   7.79   N11=   1.6229        ν11=  60.29 
r20=   1234.500    d20=   可変                        
r21=   52.721      d21=   0.75   N12=   1.8881        ν12=  40.76 
r22=   13.435      d22=   3.29                        
r23=   67.192      d23=   0.75   N13=   1.8881        ν13=  40.76 
r24=   36.490      d24=   2.83                        
r25=   -48.656     d25=   4.75   N14=   1.8126        ν14=  25.42 
r26=   -12.990     d26=   0.80   N15=   1.8881        ν15=  40.76 
r27=   -1003.160   d27=   0.20                        
r28=   33.652      d28=   2.54   N16=   1.6942        ν16=  31.07 
r29=   1299.417    d29=   可変                        
r30=   -26.243     d30=   0.75   N17=   1.7584        ν17=  52.32 
r31=   52.073      d31=   2.45   N18=   1.8164        ν18=  22.76 
r32=   -173.421    d32=   可変                        
r33=   絞り        d33=   1.40                        
r34=   14228.195   d34=   3.80   N19=   1.5914        ν19=  61.14 
r35=   -38.640     d35=   0.20                        
r36=   92.642      d36=   3.10   N20=   1.4891        ν20=  70.23 
r37=   -152.499    d37=   0.20                        
r38=   52.379      d38=   6.64   N21=   1.4891        ν21=  70.23 
r39=   -39.203     d39=   1.20   N22=   1.8881        ν22=  40.76 
r40=   6905.542    d40=   34.00                       
r41=   65.930      d41=   5.39   N23=   1.5783        ν23=  41.50 
r42=   -55.384     d42=   3.53                        
r43=   537.147     d43=   1.20   N24=   1.8881        ν24=  40.76 
r44=   23.184      d44=   5.27   N25=   1.5991        ν25=  39.24 
r45=   -8948.954   d45=   0.24                        
r46=   49.707      d46=   6.16   N26=   1.5183        ν26=  64.14 
r47=   -25.046     d47=   1.20   N27=   2.0117        ν27=  28.30 
r48=   -456.658    d48=   0.39                        
r49=   62.510      d49=   4.70   N28=   1.4891        ν28=  70.23 
r50=   -41.285     d50=   4.00                        
r51=   ∞          d51=   33.00  N29=   1.6117        ν29=  46.44 
r52=   ∞          d52=   13.20  N30=   1.5187        ν30=  64.17 
r53=   ∞          d53=   5.00                        
【０１２３】
焦点距離
4.45     13.795     57.85
可変間隔
d20             0.91     28.60      44.72
d29            42.27     11.11       6.22
d32             9.00     12.47       1.24
非球面形状
第1面
R=227.195             k=-54.217
B=1.9066・10-6        C=3.7310・10-11
D=-1.9152・10-13      E=-6.7753・10-19      
A’=-4.1287・10-6     B’=-1.3218・10-8
C’=2.4226・10-12     D’=2.4438・10-15
第10面
R=-74.094             k=-2.282
B=-2.0884・10-7       C=2.9660・10-11
D=3.4878・10-13       E=-1.1872・10-16      
A’=-6.3672・10-7     B’=5.6104・10-10
C’=-1.1116・10-11    D’=-3.1827・10-16
【０１２４】
［レンズユニットＩＥの数値実施例］
画面サイズ  対角１１ｍｍ
ｆ＝８．９〜１１５．７  Ｆｎｏ／３．８０〜５．６０  ２ω＝６３.４゜〜５.４゜
Ｂｆ  ４．９９６２  Ｙ  ５.５
r1=    40.307      d1=    6.08   N1=    1.4985        ν1=   81.54 
r2=    -75.735     d2=    0.24                        
r3=    36.904      d3=    5.04   N2=    1.6055        ν2=   60.64 
r4=    -107.008    d4=    0.84   N3=    1.8548        ν3=   23.90 
r5=    87.515      d5=    11.76                       
r6=    -116.601    d6=    3.01   N4=    1.8164        ν4=   22.76 
r7=    -23.612     d7=    0.56   N5=    1.8202        ν5=   46.62 
r8=    20.218      d8=    4.98                        
【０１２５】
［数値実施例２］
画面サイズ  対角１１ｍｍ
ｆ＝４.４５〜５７.８５  Ｆｎｏ／１.９０〜２．８０  ２ω＝１０２.０゜〜１０.９゜
Ｂｆ  ４．９９３１  Ｙ  ５.５
*r1=   227.195     d1=    2.50   N1=    1.7762        ν1=   49.60 
r2=    33.736      d2=    19.76                       
r3=    311.589     d3=    1.85   N2=    1.7584        ν2=   52.32 
r4=    80.391      d4=    13.54                       
r5=    -80.728     d5=    1.75   N3=    1.7584        ν3=   52.32 
r6=    -17642.010  d6=    1.30                        
r7=    135.169     d7=    6.62   N4=    1.8126        ν4=   25.42 
r8=    -339.711    d8=    1.16                        
r9=    328.904     d9=    9.40   N5=    1.5183        ν5=   64.14 
*r10=  -74.094     d10=   11.86                       
r11=   1211.778    d11=   8.57   N6=    1.4891        ν6=   70.23 
r12=   -67.682     d12=   1.65   N7=    1.8881        ν7=   40.76 
r13=   -126.215    d13=   0.20                        
r14=   182.391     d14=   1.65   N8=    2.0117        ν8=   28.30 
r15=   55.727      d15=   10.56  N9=    1.4985        ν9=   81.54 
r16=   -405.898    d16=   0.20                        
r17=   130.732     d17=   9.01   N10=   1.4985        ν10=  81.54 
r18=   -91.216     d18=   0.20                        
r19=   57.687      d19=   7.79   N11=   1.6229        ν11=  60.29 
r20=   1234.500    d20=   可変                        
r21=   52.721      d21=   0.75   N12=   1.8881        ν12=  40.76 
r22=   13.435      d22=   3.29                        
r23=   67.192      d23=   0.75   N13=   1.8881        ν13=  40.76 
r24=   36.490      d24=   2.83                        
r25=   -48.656     d25=   4.75   N14=   1.8126        ν14=  25.42 
r26=   -12.990     d26=   0.80   N15=   1.8881        ν15=  40.76 
r27=   -1003.160   d27=   0.20                        
r28=   33.652      d28=   2.54   N16=   1.6942        ν16=  31.07 
r29=   1299.417    d29=   可変                        
r30=   -26.243     d30=   0.75   N17=   1.7584        ν17=  52.32 
r31=   52.073      d31=   2.45   N18=   1.8164        ν18=  22.76 
r32=   -173.421    d32=   可変                        
r33=   絞り        d33=   1.40                        
r34=   -15623.885  d34=    3.39  N19=   1.5914        ν19=  61.14 
r35=   -45.151     d35=   0.20                        
r36=   853.121     d36=   3.12   N20=   1.4891        ν20=  70.23 
r37=   -105.776    d37=   0.20                        
r38=   41.089      d38=   7.95   N21=   1.4891        ν21=  70.23 
r39=   -37.288     d39=   1.20   N22=   1.8881        ν22=  40.76 
r40=   -252.494    d40=   34.00                       
r41=   591.873     d41=   4.79   N23=   1.5967        ν23=  35.31 
r42=   -41.730     d42=   0.20                        
r43=   88.052      d43=   5.27   N24=   1.5967        ν24=  35.31 
r44=   -42.116     d44=   1.20   N25=   1.8881        ν25=  40.76 
r45=   -296.998    d45=   0.24                        
r46=   37.310      d46=   6.03   N26=   1.4891        ν26=  70.23 
r47=   -35.443     d47=   1.20   N27=   2.0117        ν27=  28.30 
r48=   44.112      d48=   0.81                        
r49=   33.024      d49=   4.97   N28=   1.4985        ν28=  81.54 
r50=   -55.651     d50=   4.00                        
r51=   ∞          d51=   33.00  N29=   1.6117        ν29=  46.44 
r52=   ∞          d52=   13.20  N30=   1.5187        ν30=  64.17 
r53=   ∞          d53=   5.00                             
【０１２６】
焦点距離
4.45      13.795     57.85
可変間隔
d20              0.91      28.60      44.72
d29             42.27      11.11       6.22
d32              9.00      12.47       1.24
非球面形状
第1面
R=227.195            k=-54.217
B=1.9066・10-6        C=3.7310・10-11
D=-1.9152・10-13      E=-6.7753・10-19      
A’=-4.1287・10-6     B’=-1.3218・10-8
C’=2.4226・10-12     D’=2.4438・10-15
第10面
R=-74.094            k=-2.282
B=-2.0884・10-7       C=2.9660・10-11
D=3.4878・10-13       E=-1.1872・10-16      
A’=-6.3672・10-7     B’=5.6104・10-10
C’=-1.1116・10-11    D’=-3.1827・10-16
【０１２７】
［数値実施例３］
画面サイズ  対角１１ｍｍ
ｆ＝４.４５〜５７.８５  Ｆｎｏ／１.９０〜２．８０  ２ω＝１０２.０゜〜１０.９゜
Ｂｆ  ４．９９７０  Ｙ  ５.５
*r1=   227.195     d1=    2.50   N1=    1.7762        ν1=   49.60 
r2=    33.736      d2=    19.76                       
r3=    311.589     d3=    1.85   N2=    1.7584        ν2=   52.32 
r4=    80.391      d4=    13.54                       
r5=    -80.728     d5=    1.75   N3=    1.7584        ν3=   52.32 
r6=    -17642.010  d6=    1.30                             
r7=    135.169     d7=    6.62   N4=    1.8126        ν4=   25.42 
r8=    -339.711    d8=    1.16                        
r9=    328.904     d9=    9.40   N5=    1.5183        ν5=   64.14 
*r10=  -74.094     d10=   11.86                       
r11=   1211.778    d11=   8.57   N6=    1.4891        ν6=   70.23 
r12=   -67.682     d12=   1.65   N7=    1.8881        ν7=   40.76 
r13=   -126.215    d13=   0.20                        
r14=   182.391     d14=   1.65   N8=    2.0117        ν8=   28.30 
r15=   55.727      d15=   10.56  N9=    1.4985        ν9=   81.54 
r16=   -405.898    d16=   0.20                        
r17=   130.732     d17=   9.01   N10=   1.4985        ν10=  81.54 
r18=   -91.216     d18=   0.20                        
r19=   57.687      d19=   7.79   N11=   1.6229        ν11=  60.29 
r20=   1234.500    d20=   可変                        
r21=   52.721      d21=   0.75   N12=   1.8881        ν12=  40.76 
r22=   13.435      d22=   3.29                        
r23=   67.192      d23=   0.75   N13=   1.8881        ν13=  40.76 
r24=   36.490      d24=   2.83                        
r25=   -48.656     d25=   4.75   N14=   1.8126        ν14=  25.42 
r26=   -12.990     d26=   0.80   N15=   1.8881        ν15=  40.76 
r27=   -1003.160   d27=   0.20                        
r28=   33.652      d28=   2.54   N16=   1.6942        ν16=  31.07 
r29=   1299.417    d29=   可変                        
r30=   -26.243     d30=   0.75   N17=   1.7584        ν17=  52.32 
r31=   52.073      d31=   2.45   N18=   1.8164        ν18=  22.76 
r32=   -173.421    d32=   可変                        
r33=   絞り        d33=   1.40                        
r34=   -4484.945   d34=   4.23   N19=   1.5914        ν19=  61.14 
r35=   -33.960     d35=   0.20                        
r36=   382.348     d36=   3.47   N20=   1.4891        ν20=  70.23 
r37=   -84.792     d37=   0.20                        
r38=   40.593      d38=   7.14   N21=   1.4891        ν21=  70.23 
r39=   -39.952     d39=   1.20   N22=   1.8881        ν22=  40.76 
r40=   212.532     d40=   34.00                       
r41=   33.473      d41=   6.27   N23=   1.5783        ν23=  41.50 
r42=   -78.955     d42=   0.81                        
r43=   -134.302    d43=   1.20   N24=   1.8881        ν24=  40.76 
r44=   27.281      d44=   5.64   N25=   1.5967        ν25=  35.31 
r45=   -164.887    d45=   5.27                        
r46=   398.087     d46=   1.20   N26=   2.0117        ν26=  28.30 
r47=   23.958      d47=   6.47   N27=   1.4891        ν27=  70.23 
r48=   -48.297     d48=   0.15                        
r49=   27.896      d49=   4.93   N28=   1.4891        ν28=  70.23 
r50=   -377.442    d50=   4.00                        
r51=   ∞          d51=   33.00  N29=   1.6117        ν29=  46.44 
r52=   ∞          d52=   13.20  N30=   1.5187        ν30=  64.17 
r53=   ∞          d53=   5.00                             
【０１２８】
焦点距離
4.45      13.795     57.85
可変間隔
d20              0.91      28.60      44.72
d29             42.27      11.11       6.22
d32              9.00      12.47       1.24
非球面形状
第1面
R=227.195             k=-54.217
B=1.9066・10-6        C=3.7310・10-11
D=-1.9152・10-13      E=-6.7753・10-19      
A’=-4.1287・10-6     B’=-1.3218・10-8
C’=2.4226・10-12     D’=2.4438・10-15
第10面
R=-74.094             k=-2.282
B=-2.0884・10-7       C=2.9660・10-11
D=3.4878・10-13       E=-1.1872・10-16      
A’=-6.3672・10-7     B’=5.6104・10-10
C’=-1.1116・10-11    D’=-3.1827・10-16
【０１２９】
［数値実施例４］
画面サイズ  対角１１ｍｍ
ｆ＝４.４５〜５７.８５  Ｆｎｏ／１.９０〜２．８０  ２ω＝１０２.０゜〜１０.９゜
Ｂｆ  ４．９９７８  Ｙ  ５.５
*r1=   227.195     d1=    2.50   N1=    1.7762        ν1=   49.60 
r2=    33.736      d2=    19.76                       
r3=    311.589     d3=    1.85   N2=    1.7584        ν2=   52.32 
r4=    80.391      d4=    13.54                       
r5=    -80.728     d5=    1.75   N3=    1.7584        ν3=   52.32 
r6=    -17642.010  d6=    1.30                             
r7=    135.169     d7=    6.62   N4=    1.8126        ν4=   25.42 
r8=    -339.711    d8=    1.16                        
r9=    328.904     d9=    9.40   N5=    1.5183        ν5=   64.14 
*r10=  -74.094     d10=   11.86                       
r11=   1211.778    d11=   8.57   N6=    1.4891        ν6=   70.23 
r12=   -67.682     d12=   1.65   N7=    1.8881        ν7=   40.76 
r13=   -126.215    d13=   0.20                        
r14=   182.391     d14=   1.65   N8=    2.0117        ν8=   28.30 
r15=   55.727      d15=   10.56  N9=    1.4985        ν9=   81.54 
r16=   -405.898    d16=   0.20                        
r17=   130.732     d17=   9.01   N10=   1.4985        ν10=  81.54 
r18=   -91.216     d18=   0.20                        
r19=   57.687      d19=   7.79   N11=   1.6229        ν11=  60.29 
r20=   1234.500    d20=   可変                        
r21=   52.721      d21=   0.75   N12=   1.8881        ν12=  40.76 
r22=   13.435      d22=   3.29                        
r23=   67.192      d23=   0.75   N13=   1.8881        ν13=  40.76 
r24=   36.490      d24=   2.83                        
r25=   -48.656     d25=   4.75   N14=   1.8126        ν14=  25.42 
r26=   -12.990     d26=   0.80   N15=   1.8881        ν15=  40.76 
r27=   -1003.160   d27=   0.20                        
r28=   33.652      d28=   2.54   N16=   1.6942        ν16=  31.07 
r29=   1299.417    d29=   可変                        
r30=   -26.243     d30=   0.75   N17=   1.7584        ν17=  52.32 
r31=   52.073      d31=   2.45   N18=   1.8164        ν18=  22.76 
r32=   -173.421    d32=   可変                        
r33=   絞り        d33=   1.40                        
r34=   -13787.893  d34=   3.92   N19=   1.5914        ν19=  61.14 
r35=   -36.917     d35=   0.20                        
r36=   106.127     d36=   3.35   N20=   1.4891        ν20=  70.23 
r37=   -95.836     d37=   0.20                        
r38=   48.085      d38=   6.72   N21=   1.4891        ν21=  70.23 
r39=   -38.635     d39=   1.20   N22=   1.8881        ν22=  40.76 
r40=   293.252     d40=   34.00                       
r41=   204.940     d41=   4.18   N23=   1.7044        ν23=  30.13 
r42=   -54.231     d42=   2.66                        
r43=   39.548      d43=   1.20   N24=   1.7323        ν24=  54.68 
r44=   21.900      d44=   1.74                        
r45=   24.680      d45=   8.75   N25=   1.4985        ν25=  81.54 
r46=   -25.451     d46=   1.20   N26=   2.0117        ν26=  28.30 
r47=   436.838     d47=   2.00                        
r48=   90.478      d48=   5.06   N27=   1.4891        ν27=  70.23 
r49=   -31.140     d49=   4.00                        
r50=   ∞          d50=   33.00  N28=   1.6117        ν28=  46.44 
r51=   ∞          d51=   13.20  N29=   1.5187        ν29=  64.17 
r52=   ∞          d52=   5.00                             
【０１３０】
焦点距離
4.45      13.795    57.85
可変間隔
d20             0.91      28.60     44.72
d29            42.27      11.11      6.22
d32             9.00      12.47      1.24
非球面形状
第1面
R=227.195             k=-54.217
B=1.9066・10-6        C=3.7310・10-11
D=-1.9152・10-13      E=-6.7753・10-19      
A’=-4.1287・10-6     B’=-1.3218・10-8
C’=2.4226・10-12     D’=2.4438・10-15
第10面
R=-74.094             k=-2.282
B=-2.0884・10-7       C=2.9660・10-11
D=3.4878・10-13       E=-1.1872・10-16      
A’=-6.3672・10-7     B’=5.6104・10-10
C’=-1.1116・10-11    D’=-3.1827・10-16
【０１３１】
［数値実施例５］
画面サイズ  対角１１ｍｍ
ｆ＝４.４５〜５７.８５  Ｆｎｏ／１.９０〜２．８０  ２ω＝１０２.０゜〜１０.９゜
Ｂｆ  ４．９９７４  Ｙ  ５.５
*r1=   227.195     d1=    2.50   N1=    1.7762        ν1=   49.60 
r2=    33.736      d2=    19.76                       
r3=    311.589     d3=    1.85   N2=    1.7584        ν2=   52.32 
r4=    80.391      d4=    13.54                       
r5=    -80.728     d5=    1.75   N3=    1.7584        ν3=   52.32 
r6=    -17642.010  d6=    1.30                             
r7=    135.169     d7=    6.62   N4=    1.8126        ν4=   25.42 
r8=    -339.711    d8=    1.16                        
r9=    328.904     d9=    9.40   N5=    1.5183        ν5=   64.14 
*r10=  -74.094     d10=   11.86                       
r11=   1211.778    d11=   8.57   N6=    1.4891        ν6=   70.23 
r12=   -67.682     d12=   1.65   N7=    1.8881        ν7=   40.76 
r13=   -126.215    d13=   0.20                        
r14=   182.391     d14=   1.65   N8=    2.0117        ν8=   28.30 
r15=   55.727      d15=   10.56  N9=    1.4985        ν9=   81.54 
r16=   -405.898    d16=   0.20                        
r17=   130.732     d17=   9.01   N10=   1.4985        ν10=  81.54 
r18=   -91.216     d18=   0.20                        
r19=   57.687      d19=   7.79   N11=   1.6229        ν11=  60.29 
r20=   1234.500    d20=   可変                        
r21=   52.721      d21=   0.75   N12=   1.8881        ν12=  40.76 
r22=   13.435      d22=   3.29                        
r23=   67.192      d23=   0.75   N13=   1.8881        ν13=  40.76 
r24=   36.490      d24=   2.83                        
r25=   -48.656     d25=   4.75   N14=   1.8126        ν14=  25.42 
r26=   -12.990     d26=   0.80   N15=   1.8881        ν15=  40.76 
r27=   -1003.160   d27=   0.20                        
r28=   33.652      d28=   2.54   N16=   1.6942        ν16=  31.07 
r29=   1299.417    d29=   可変                        
r30=   -26.243     d30=   0.75   N17=   1.7584        ν17=  52.32 
r31=   52.073      d31=   2.45   N18=   1.8164        ν18=  22.76 
r32=   -173.421    d32=   可変                        
r33=   絞り        d33=   1.40                        
r34=   606.159     d34=   3.51   N19=   1.5914        ν19=  61.14 
r35=   -46.528     d35=   0.20                        
r36=   96.040      d36=   3.60   N20=   1.4891        ν20=  70.23 
r37=   -97.979     d37=   0.20                        
r38=   44.810      d38=   6.80   N21=   1.4891        ν21=  70.23 
r39=   -44.033     d39=   1.20   N22=   1.8881        ν22=  40.76 
r40=   320.626     d40=   34.00                       
r41=   45.982      d41=   5.59   N23=   1.5783        ν23=  41.50 
r42=   -67.644     d42=   1.94                        
r43=   -178.506    d43=   1.20   N24=   1.8881        ν24=  40.76 
r44=   28.093      d44=   1.14                        
r45=   38.911      d45=   4.99   N25=   1.5991        ν25=  39.24 
r46=   -77.231     d46=   0.24                        
r47=   44.915      d47=   5.46   N26=   1.4891        ν26=  70.23 
r48=   -39.741     d48=   1.82                        
r49=   -31.164     d49=   1.20   N27=   2.0117        ν27=  28.30 
r50=   232.885     d50=   1.14                        
r51=   44.785      d51=   5.91   N28=   1.4891        ν28=  70.23 
r52=   -33.328     d52=   4.00                        
r53=   ∞          d53=   33.00  N29=   1.6117        ν29=  46.44 
r54=   ∞          d54=   13.20  N30=   1.5187        ν30=  64.17 
r55=   ∞          d55=   5.00                             
【０１３２】
焦点距離
4.45      13.795     57.85
可変間隔
d20              0.91      28.60      44.72
d29             42.27      11.11       6.22
d32              9.00      12.47       1.24
非球面形状
第1面
R=227.195             k=-54.217
B=1.9066・10-6        C=3.7310・10-11
D=-1.9152・10-13      E=-6.7753・10-19      
A’=-4.1287・10-6     B’=-1.3218・10-8
C’=2.4226・10-12     D’=2.4438・10-15
第10面
R=-74.094             k=-2.282
B=-2.0884・10-7       C=2.9660・10-11
D=3.4878・10-13       E=-1.1872・10-16      
A’=-6.3672・10-7     B’=5.6104・10-10
C’=-1.1116・10-11    D’=-3.1827・10-16
【０１３３】
［数値実施例６］
画面サイズ  対角１１ｍｍ
ｆ＝４.４５〜５７.８５  Ｆｎｏ／１.９０〜２．８０  ２ω＝１０２.０゜〜１０.９゜
Ｂｆ  ４．９９５１  Ｙ  ５.５
*r1=   227.195     d1=    2.50   N1=    1.7762        ν1=   49.60 
r2=    33.736      d2=    19.76                       
r3=    311.589     d3=    1.85   N2=    1.7584        ν2=   52.32 
r4=    80.391      d4=    13.54                       
r5=    -80.728     d5=    1.75   N3=    1.7584        ν3=   52.32 
r6=    -17642.010  d6=    1.30                             
r7=    135.169     d7=    6.62   N4=    1.8126        ν4=   25.42 
r8=    -339.711    d8=    1.16                        
r9=    328.904     d9=    9.40   N5=    1.5183        ν5=   64.14 
*r10=  -74.094     d10=   11.86                       
r11=   1211.778    d11=   8.57   N6=    1.4891        ν6=   70.23 
r12=   -67.682     d12=   1.65   N7=    1.8881        ν7=   40.76 
r13=   -126.215    d13=   0.20                        
r14=   182.391     d14=   1.65   N8=    2.0117        ν8=   28.30 
r15=   55.727      d15=   10.56  N9=    1.4985        ν9=   81.54 
r16=   -405.898    d16=   0.20                        
r17=   130.732     d17=   9.01   N10=   1.4985        ν10=  81.54 
r18=   -91.216     d18=   0.20                        
r19=   57.687      d19=   7.79   N11=   1.6229        ν11=  60.29 
r20=   1234.500    d20=   可変                        
r21=   52.721      d21=   0.75   N12=   1.8881        ν12=  40.76 
r22=   13.435      d22=   3.29                        
r23=   67.192      d23=   0.75   N13=   1.8881        ν13=  40.76 
r24=   36.490      d24=   2.83                        
r25=   -48.656     d25=   4.75   N14=   1.8126        ν14=  25.42 
r26=   -12.990     d26=   0.80   N15=   1.8881        ν15=  40.76 
r27=   -1003.160   d27=   0.20                        
r28=   33.652      d28=   2.54   N16=   1.6942        ν16=  31.07 
r29=   1299.417    d29=   可変                        
r30=   -26.243     d30=   0.75   N17=   1.7584        ν17=  52.32 
r31=   52.073      d31=   2.45   N18=   1.8164        ν18=  22.76 
r32=   -173.421    d32=   可変                        
r33=   絞り        d33=   1.40                        
r34=   -21035.899  d34=   3.57   N19=   1.5914        ν19=  61.14 
r35=   -41.941     d35=   0.20                        
r36=   122.171     d36=   3.69   N20=   1.4891        ν20=  70.23 
r37=   -125.981    d37=   0.20                        
r38=   51.909      d38=   6.78   N21=   1.4891        ν21=  70.23 
r39=   -39.935     d39=   1.20   N22=   1.8881        ν22=  40.76 
r40=   -544.175    d40=   34.00                       
r41=   131.979     d41=   3.75   N23=   1.5783        ν23=  41.50 
r42=   -107.599    d42=   0.20                        
r43=   58.782      d43=   5.12   N24=   1.5783        ν24=  41.50 
r44=   -67.480     d44=   0.20                        
r45=   -339.467    d45=   1.20   N25=   1.8881        ν25=  40.76 
r46=   22.761      d46=   5.32   N26=   1.5991        ν26=  39.24 
r47=   252.987     d47=   0.24                        
r48=   52.074      d48=   6.32   N27=   1.5183        ν27=  64.14 
r49=   -25.243     d49=   1.20   N28=   2.0117        ν28=  28.30 
r50=   2390.369    d50=   0.28                        
r51=   61.444      d51=   4.60   N29=   1.4891        ν29=  70.23 
r52=   -41.699     d52=   4.00                        
r53=   ∞          d53=   33.00  N30=   1.6117        ν30=  46.44 
r54=   ∞          d54=   13.20  N31=   1.5187        ν31=  64.17 
r55=   ∞          d55=   5.00                             
【０１３４】
焦点距離
4.45      13.795     57.85
可変間隔
d20              0.91      28.60      44.72
d29             42.27      11.11       6.22
d32              9.00      12.47       1.24
非球面形状
第1面
R=227.195             k=-54.217
B=1.9066・10-6        C=3.7310・10-11
D=-1.9152・10-13      E=-6.7753・10-19      
A’=-4.1287・10-6     B’=-1.3218・10-8
C’=2.4226・10-12     D’=2.4438・10-15
第10面
R=-74.094             k=-2.282
B=-2.0884・10-7       C=2.9660・10-11
D=3.4878・10-13       E=-1.1872・10-16      
A’=-6.3672・10-7     B’=5.6104・10-10
C’=-1.1116・10-11    D’=-3.1827・10-16
【０１３５】
［数値実施例７］
画面サイズ  対角１１ｍｍ
ｆ＝４.４５〜５７.８５  Ｆｎｏ／１.９０〜２．８０  ２ω＝１０２.０゜〜１０.９゜
Ｂｆ  ４．９９３１  Ｙ  ５.５
*r1=   227.195     d1=    2.50   N1=    1.7762        ν1=   49.60 
r2=    33.736      d2=    19.76                       
r3=    311.589     d3=    1.85   N2=    1.7584        ν2=   52.32 
r4=    80.391      d4=    13.54                       
r5=    -80.728     d5=    1.75   N3=    1.7584        ν3=   52.32 
r6=    -17642.010  d6=    1.30                             
r7=    135.169     d7=    6.62   N4=    1.8126        ν4=   25.42 
r8=    -339.711    d8=    1.16                        
r9=    328.904     d9=    9.40   N5=    1.5183        ν5=   64.14 
*r10=  -74.094     d10=   11.86                       
r11=   1211.778    d11=   8.57   N6=    1.4891        ν6=   70.23 
r12=   -67.682     d12=   1.65   N7=    1.8881        ν7=   40.76 
r13=   -126.215    d13=   0.20                        
r14=   182.391     d14=   1.65   N8=    2.0117        ν8=   28.30 
r15=   55.727      d15=   10.56  N9=    1.4985        ν9=   81.54 
r16=   -405.898    d16=   0.20                        
r17=   130.732     d17=   9.01   N10=   1.4985        ν10=  81.54 
r18=   -91.216     d18=   0.20                        
r19=   57.687      d19=   7.79   N11=   1.6229        ν11=  60.29 
r20=   1234.500    d20=   可変                        
r21=   52.721      d21=   0.75   N12=   1.8881        ν12=  40.76 
r22=   13.435      d22=   3.29                        
r23=   67.192      d23=   0.75   N13=   1.8881        ν13=  40.76 
r24=   36.490      d24=   2.83                        
r25=   -48.656     d25=   4.75   N14=   1.8126        ν14=  25.42 
r26=   -12.990     d26=   0.80   N15=   1.8881        ν15=  40.76 
r27=   -1003.160   d27=   0.20                        
r28=   33.652      d28=   2.54   N16=   1.6942        ν16=  31.07 
r29=   1299.417    d29=   可変                        
r30=   -26.243     d30=   0.75   N17=   1.7584        ν17=  52.32 
r31=   52.073      d31=   2.45   N18=   1.8164        ν18=  22.76 
r32=   -173.421    d32=   可変                        
r33=   絞り        d33=   1.40                        
r34=   -26969.015  d34=   3.80   N19=   1.5914        ν19=  61.14 
r35=   -38.478     d35=   0.20                        
r36=   102.927     d36=   3.25   N20=   1.4891        ν20=  70.23 
r37=   -129.303    d37=   0.20                        
r38=   52.142      d38=   6.70   N21=   1.4891        ν21=  70.23 
r39=   -39.230     d39=   1.20   N22=   1.8881        ν22=  40.76 
r40=   3435.984    d40=   34.00                       
r41=   60.084      d41=   5.31   N23=   1.5783        ν23=  41.50 
r42=   -59.864     d42=   3.06                        
r43=   440.992     d43=   1.20   N24=   1.8881        ν24=  40.76 
r44=   21.290      d44=   6.12   N25=   1.5967        ν25=  35.31 
r45=   -227.554    d45=   0.24                        
r46=   80.690      d46=   5.53   N26=   1.5183        ν26=  64.14 
r47=   -25.508     d47=   1.20   N27=   1.8126        ν27=  25.42 
r48=   246.480     d48=   2.06                        
r49=   44.046      d49=   4.77   N28=   1.4891        ν28=  70.23 
r50=   -57.645     d50=   4.00                        
r51=   ∞          d51=   33.00  N29=   1.6117        ν29=  46.44 
r52=   ∞          d52=   13.20  N30=   1.5187        ν30=  64.17 
r53=   ∞          d53=   5.00                             
【０１３６】
焦点距離
4.45      13.795     57.85
可変間隔
d20              0.91      28.60      44.72
d29             42.27      11.11       6.22
d32              9.00      12.47       1.24
非球面形状
第1面
R=227.195             k=-54.217
B=1.9066・10-6        C=3.7310・10-11
D=-1.9152・10-13      E=-6.7753・10-19      
A’=-4.1287・10-6     B’=-1.3218・10-8
C’=2.4226・10-12     D’=2.4438・10-15
第10面
R=-74.094             k=-2.282
B=-2.0884・10-7       C=2.9660・10-11
D=3.4878・10-13       E=-1.1872・10-16      
A’=-6.3672・10-7     B’=5.6104・10-10
C’=-1.1116・10-11    D’=-3.1827・10-16
【０１３７】
【表１】
0005031476.tif 000007
【図面の簡単な説明】
【０１３８】
【図１】実施例１の広角端でのレンズ断面図である。
【図２】実施例１の望遠端でのレンズ断面図である。
【図３】実施例１の広角端での収差図である。
【図４】実施例１の望遠端での収差図である。
【図５】レンズユニット挿入時の実施例１の広角端でのレンズ断面図である。
【図６】レンズユニット挿入時の実施例１の広角端での収差図である。
【図７】レンズユニット挿入時の実施例１の望遠端での収差図である。
【図８】実施例２の広角端でのレンズ断面図である。
【図９】実施例２の広角端での収差図である。
【図１０】実施例２の望遠端での収差図である。
【図１１】実施例３の広角端でのレンズ断面図である。
【図１２】実施例３の広角端での収差図である。
【図１３】実施例３の望遠端での収差図である。
【図１４】実施例４の広角端でのレンズ断面図である。
【図１５】実施例４の広角端での収差図である。
【図１６】実施例４の望遠端での収差図である。
【図１７】実施例５の広角端でのレンズ断面図である。
【図１８】実施例５の広角端での収差図である。
【図１９】実施例５の望遠端での収差図である。
【図２０】実施例６の広角端でのレンズ断面図である。
【図２１】実施例６の広角端での収差図である。
【図２２】実施例６の望遠端での収差図である。
【図２３】実施例７の広角端でのレンズ断面図である。
【図２４】実施例７の広角端での収差図である。
【図２５】実施例７の望遠端での収差図である。
【図２６】本発明の撮像装置の要部概略図
【符号の説明】
【０１３９】
Ｍ  ズームレンズ
Ｆ  第１レンズ群
Ｖ  第２レンズ群
Ｃ  第３レンズ群
ＳＰ  絞り
Ｒ  第４レンズ群
Ｐ  ガラスブロック
４Ｆ  第４Ｆ群
４Ｂ  第４Ｂ群
４Ｂ１  第４Ｂ１群
４Ｂ２  第４Ｂ２群
ＩＥ  レンズユニット
【図１】
0005031476.tif 000008
【図２】
0005031476.tif 000009
【図３】
0005031476.tif 000010
【図４】
0005031476.tif 000011
【図５】
0005031476.tif 000012
【図６】
0005031476.tif 000013
【図７】
0005031476.tif 000014
【図８】
0005031476.tif 000015
【図９】
0005031476.tif 000016
【図１０】
0005031476.tif 000017
【図１１】
0005031476.tif 000018
【図１２】
0005031476.tif 000019
【図１３】
0005031476.tif 000020
【図１４】
0005031476.tif 000021
【図１５】
0005031476.tif 000022
【図１６】
0005031476.tif 000023
【図１７】
0005031476.tif 000024
【図１８】
0005031476.tif 000025
【図１９】
0005031476.tif 000026
【図２０】
0005031476.tif 000027
【図２１】
0005031476.tif 000028
【図２２】
0005031476.tif 000029
【図２３】
0005031476.tif 000030
【図２４】
0005031476.tif 000031
【図２５】
0005031476.tif 000032
【図２６】
0005031476.tif 000033